(57)【特許請求の範囲】
【請求項１】
所定の場所又は領域において、携帯端末装置の所定の機能を制限したり、制限を解除するためのシステムであって、
前記携帯端末装置の前記所定の機能を制限したり、制限を解除するための第１のメッセージ及び第２のメッセージを送信するメッセージ送信装置と、
該メッセージ送信装置からの前記第１のメッセージを受信し、所定の時間が経過した後前記第２のメッセージを受信したときに、前記所定の機能が制限されたり、制限が解除される携帯端末装置とで構成され、
前記メッセージ送信装置は、前記第１のメッセージ又は第２のメッセージに所定のレベルを設定して送信し、前記携帯端末装置は、前記メッセージ送信装置から受信した前記第１のメッセージ又は第２のメッセージに設定されたレベルと、予め自携帯端末装置に設定したレベルとを比較し、自携帯端末装置に設定したレベルが前記メッセージ送信装置から受信したメッセージに設定されたレベルより低い場合に、自携帯端末装置の所定の機能を制限したり、制限を解除することを特徴とする携帯端末装置制御システム。
【請求項２】
前記所定の機能は、マナーモード機能、カメラ撮影機能、又は録音機能であることを特徴とする請求項１に記載の携帯端末装置制御システム。
【請求項３】
前記メッセージ送信装置は、所定の場所又は領域の入口に所定の間隔を開けて２基設置され、一方の装置が前記第１のメッセージを送信し、他方の装置が前記第２のメッセージを送信し、前記携帯端末装置の前記所定の機能を制限することを特徴とする請求項１又は２に記載の携帯端末装置制御システム。
【請求項４】
前記メッセージ送信装置は、所定の場所又は領域の出口に所定の間隔を開けて２基設置され、一方の装置が前記第１のメッセージを送信し、他方の装置が前記第２のメッセージを送信し、前記携帯端末装置の前記所定の機能の制限を解除することを特徴とする請求項１、２又は３に記載の携帯端末装置制御システム。
【請求項５】
前記メッセージ送信装置は、前記所定の場所又は領域全体を通信可能域とし、前記所定の場所又は領域に１基設置され、予め設定された時間に前記携帯端末装置に前記第１のメッセージを送信し、該設定された時間から所定の時間が経過した後前記第２のメッセージを送信し、該携帯端末装置の前記所定の機能を制限することを特徴とする請求項１又は２に記載の携帯端末装置制御システム。
【請求項６】
メッセージ送信装置からの第１のメッセージを受信し、所定の時間が経過した後第２のメッセージを受信したときに、所定の機能が制限されたり、制限が解除される携帯端末装置であって、
前記メッセージ送信装置から受信した前記第１のメッセージ又は第２のメッセージに設定された所定のレベルと、予め自携帯端末装置に設定したレベルとを比較し、自携帯端末装置に設定したレベルが前記メッセージ送信装置から受信したメッセージに設定されたレベルより低い場合に、自携帯端末装置の所定の機能を制限したり、該制限を解除することを特徴とする携帯端末装置。
【発明の詳細な説明】
【技術分野】
【０００１】
本発明は、携帯端末装置制御システムに関し、特に、使用環境に適した着信音のマナーモードの設定を含む各種機能の制限等を行うシステムに関する。
【背景技術】
【０００２】
従来、携帯電話機は、携帯電話機の加入者番号がダイヤルされると、着信音や振動により携帯電話機の利用者へ着信を通知している。着信音の鳴動については、映画館、図書館、学校、会議室、病院、車内等の公共の場所において、利用者のマナーとして着信音を消音することが求められるようになりつつあり、携帯電話機は着信音を消音するためのマナーモードを備えている。
【０００３】
上記マナーモードは、使用者のモラルにより手動で設定されるが、手動で設定しなくてはならないため、設定し忘れることも多く、上記のような公共の場所において着信音が鳴動してしまうおそれがある。そのため、自動的にマナーモードに設定する技術が提案されている。
【０００４】
例えば、特許文献１には、図１２に示すように、公共の場の出入口１０１に、携帯用通信機器に対してモード変換メッセージを送信する外部送信装置１０２と、出入り状態を感知するための光センサー１０３、１０４を配置し、携帯用通信機器が出入口１０１を通過すると、光センサー１０３、１０４が感知し、外部送信装置１０２より、携帯用通信機器の音声及びデータ通信に用いる周波数とは異なる周波数の電波を放射し、携帯用通信機器がこの電波を受信することで自動的にマナーモードへ移行する。
【０００５】
また、モードの変換は、マナーモードに限らず、外部送信装置１０２から電力遮断メッセージの送信による携帯用通信機器の電力切断の指示や、チャネル遮断メッセージの送信によって音声通話を拒否し、文字通信だけを可能とするなど、環境に適したモードへ自動変換させることができる。さらに、モード変換メッセージを受信した回数を記録することで、マナーモードを解除したり、マナーモードの変更とは異なるメッセージの送信によりマナーモードの解除を指示することができる。
【０００６】
【特許文献１】特表２００２−５２４９４０号公報
【発明の開示】
【発明が解決しようとする課題】
【０００７】
しかし、携帯電話機については、国内外を問わず多数の通信事業者と製造メーカが存在し、通信方式や、使用する周波数帯域が異なるため、自動的に端末を制限するための標準化が進まず、すべての携帯電話機に対してマナーモード等の自動変更を実施することが困難であるという問題があった。
【０００８】
また、従来のマナーモードへの自動変更方式では、使用者の意志を確認するための手段等を考慮していないため、使用者の意志とは関係なく強制的にマナーモードに設定されてしまうという問題があった。
【０００９】
さらに、上記特許文献１に記載の方法では、マナーモードの変更を指示する電磁波が無差別に送信され、対象となる携帯電話機の特定や、選択を行う手段等について考慮していないため、偶然この電磁波を受信した無関係の携帯電話機に対してマナーモードが設定されるおそれがあるという問題があった。
【００１０】
そこで、本発明は、上記従来の技術に鑑みてなされたものであって、関係のない携帯電話への誤設定を防止するとともに、携帯電話利用者の意志を反映した携帯端末装置制御システムを提供することを目的とする。
【課題を解決するための手段】
【００１１】
上記目的を達成するため、本発明は、所定の場所又は領域において、携帯端末装置の所定の機能を制限したり、制限を解除するためのシステムであって、前記携帯端末装置の前記所定の機能を制限したり、制限を解除するための第１のメッセージ及び第２のメッセージを送信するメッセージ送信装置と、該メッセージ送信装置からの前記第１のメッセージを受信し、所定の時間が経過した後前記第２のメッセージを受信したときに、前記所定の機能が制限されたり、制限が解除される携帯端末装置とで構成され、前記メッセージ送信装置は、前記第１のメッセージ又は第２のメッセージに所定のレベルを設定して送信し、前記携帯端末装置は、前記メッセージ送信装置から受信した前記第１のメッセージ又は第２のメッセージに設定されたレベルと、予め自携帯端末装置に設定したレベルとを比較し、自携帯端末装置に設定したレベルが前記メッセージ送信装置から受信したメッセージに設定されたレベルより低い場合に、自携帯端末装置の所定の機能を制限したり、制限を解除することを特徴とする。
【００１２】
そして、本発明によれば、メッセージ送信装置からの第１のメッセージを受信し、所定の時間が経過した後前記第２のメッセージを受信したときに、携帯端末装置の所定の機能が制限されたり、制限が解除されるため、所定の場所又は領域とは関係のない携帯端末装置への誤設定を防止することができる。また、自携帯端末装置に設定したレベルがメッセージ送信装置から受信したメッセージに設定されたレベルより低い場合にのみ、自携帯端末装置の所定の機能を制限したり、制限を解除するため、一方的にシステムから機能の制限及び制限の解除がなされるのではなく、携帯端末装置の利用者の意志を反映させることができる。
【００１５】
前記携帯端末装置制御システムにおいて、前記所定の機能は、マナーモード機能、カメラ撮影機能、又は録音機能とすることができる。
【００１６】
また、前記携帯端末装置制御システムにおいて、前記メッセージ送信装置を、所定の場所又は領域の入口に所定の間隔を開けて２基設置し、一方の装置が前記第１のメッセージを送信し、他方の装置が前記第２のメッセージを送信し、前記携帯端末装置の前記所定の機能を制限することができる。これによって、映画館、劇場等の施設内において、携帯端末装置の通話機能等の所定の機能を制限することができる。
【００１７】
さらに、前記携帯端末装置制御システムにおいて、前記メッセージ送信装置を、所定の場所又は領域の出口に所定の間隔を開けて２基設置し、一方の装置が前記第１のメッセージを送信し、他方の装置が前記第２のメッセージを送信し、前記携帯端末装置の前記所定の機能の制限を解除することができる。これによって、映画館、劇場等の施設内において、携帯端末装置の通話機能等の所定の機能を制限した後の制限の解除を行うことができる。
【００１８】
前記メッセージ送信装置は、前記所定の場所又は領域全体を通信可能域とし、前記所定の場所又は領域に１基設置され、予め設定された時間に前記携帯端末装置に前記第１のメッセージを送信し、該設定された時間から所定の時間が経過した後前記第２のメッセージを送信し、該携帯端末装置の前記所定の機能を制限することができる。これによって、会議室等、出入口が一カ所で、出入口にメッセージ送信装置を複数台設置すると、収容スペースや、電磁波の干渉等の問題が発生するような場合に対応することができる。
【００２３】
さらに、本発明は、携帯端末装置であって、メッセージ送信装置からの第１のメッセージを受信し、所定の時間が経過した後第２のメッセージを受信したときに、所定の機能が制限されたり、制限が解除されるとともに、前記メッセージ送信装置から受信した前記第１のメッセージ又は第２のメッセージに設定された所定のレベルと、予め自携帯端末装置に設定したレベルとを比較し、自携帯端末装置に設定したレベルが前記メッセージ送信装置から受信したメッセージに設定されたレベルより低い場合に、自携帯端末装置の所定の機能を制限したり、該制限を解除することを特徴とする。この携帯端末装置によれば、時間間隔を開けて機能制限等に関するメッセージを受信した場合にのみ機能が制限されるため、所定の場所又は領域とは関係のない携帯端末装置への誤設定を防止することができる。また、機能制限にあたって、該携帯端末装置の利用者の意志を反映させることができる。
【発明の効果】
【００２５】
以上のように、本発明によれば、関係のない携帯電話への誤設定を防止し、携帯電話利用者の意志を反映させることもできる携帯端末装置制御システム等を提供することができる。
【発明を実施するための最良の形態】
【００２６】
次に、本発明の実施の形態について図面を参照しながら説明する。
【００２７】
図１は、本発明にかかる携帯端末装置制御システムの第１の実施の形態を示すブロック図である。このシステムは、通路５に隣接してイベント会場７の入口６と出口８が用意されている。入口６、出口８には、各々メッセージ送信装置が２台ずつ配置され、メッセージ送信装置１〜４よりメッセージ１〜４が常時送信されている。
【００２８】
図２は、本発明で使用するメッセージ送信装置の構成を示す。メッセージ送信装置２０は、メッセージ送信装置２０を制御するＣＰＵ２１と、送信メッセージを記憶するメモリ２２と、メッセージを送信する無線回路２３と、アンテナ２３ａとを備える。このメッセージ送信装置２０は、予めメモリ２２に記録されている送信メッセージを無線回路２３から送信する。また、メッセージ送信装置２０には、リモートコントロール装置２４のように外部入力装置が備えられる場合もある。このリモートコントロール装置２４の使用例は、図１０に示した第３の実施の形態おいて説明する。
【００２９】
図３は、本発明で使用する携帯電話機の構成図を示す。携帯電話機３０は、携帯電話機を制御するＣＰＵ３１と、ＣＰＵ３１が使用するプログラム及び情報を記憶するメモリ３２と、年月日と時刻とを刻む時計回路３３と、マナーモード設定時に振動して着信を通知する振動器３４と、相手先電話番号のダイヤルや、手動によるマナーモードの設定、及びカメラ機能の操作を行うキー入力装置３５と、マイク３６ａとスピーカ３６ｂとを接続して音声の受話、送話を実施する音声制御回路３６と、アンテナ３７ａを使用して無線通信を行う無線回路３７と、レンズ３８ａを使用して静止画や動画の撮影を制御するカメラ制御回路３８と、キー入力の表示やマナーモードの状態表示、撮影した静止画、動画の表示等を行うディスプレイ３９とで構成される。
【００３０】
図４は、メッセージ１、２、３、４のメッセージフォーマットを示し、これらのメッセージは、他のメッセージと区別するためのＩＤ４０と、メッセージの送信者を特定する送信者４１と、メッセージの送信日時４２と、指示内容部４４を実施するための条件４３と、携帯電話機に対する指示内容が記載される指示内容部４４とで構成される。
【００３１】
指示内容部４４は、複数の指示を伝達することが可能であり、携帯電話機に対する指示内容４５、指示レベル４６及び実施期間４７を１組とし、繰り返し記載することで複数の指示を携帯電話機に伝達することが可能である。図４では、実施期間４７の後に、指示内容４８と指示レベル４９、実施期間５０と続き、さらに指示内容５１、指示レベル５２、実施期間５３と繰り返すことで複数の指示内容を送信している。
【００３２】
図５は、図４のメッセージフォーマットを使用したメッセージ例を示す。図４及び図５を参照しながら、メッセージフォーマットの各パラメータについて説明する。
【００３３】
図４のメッセージのＩＤ４０は、複数のメッセージの中から他のメッセージと区別するための番号であり、周辺地域で送信されるメッセージが複数存在する場合には、他のメッセージと重複しないようにＩＤを設定する必要がある。また、メッセージのＩＤ４０は、指示内容を実施する条件としても使用され、図５では、メッセージ１、３の条件として異なるＩＤを使用している。
【００３４】
図４の送信者４１は、メッセージの運用・管理者を示し、メッセージ受信者に対する責任を負うメッセージの送り主が記載される。送信者４１として適当であるのは、イベント会場名、イベント会場所有者、イベント主催者であり、図５では、メッセージの送信者４１をＡ社・企画部が管理していると仮定し、メッセージ１〜４までの送信者にＡ社・企画部を設定している。
【００３５】
図４の送信日時４２は、メッセージを送信した日時を記載する。また、図４の条件４３は、指示内容部４４を実施する携帯電話機を特定し、関係のない携帯電話機に対する指示を排除するために記載される。条件４３は、内容の異なる複数のメッセージを受信することで成立し、また成立するまでの制限時間を各々定義する。制限時間については、メッセージ送信装置の設置間隔や、携帯電話機の移動速度を考慮し、環境に最適な値を設定する必要がある。図５のメッセージ１では、メッセージ１を受信後、１分以内にＩＤ＝２（第２のメッセージ）を受信した場合に条件が成立し、指示内容部の内容が実施されることを示し、制限時間内に第２のメッセージを受信しなかった場合には、指示内容部の指示は実施されない。
【００３６】
図４の指示内容４５、４８、５１は、携帯電話機に対して指示したい項目が記載される。図５のメッセージ１、３では、マナーモード設定・解除、カメラ撮影禁止・禁止解除、録音禁止・禁止解除の指示が記載されているが、それ以外にも、インターネット接続や、赤外線通信等の動作許可又は不許可を指定することができる。また、携帯電話機に新たな機能が追加されると、本指示内容を追加することで機能を制限することもできる。但し、指示内容は無条件に実施されるものではなく、指示レベル４６、４９、５２と、条件４３が成立した場合に実施される。
【００３７】
図４の指示レベル４６、４９、５２には、指示内容４５、４８、５１に対する指示レベルが記載されている。これは、メッセージを受信した携帯電話機が指示内容の実施有無について、携帯電話機の利用者の意思を反映させるために使用される。メッセージの指示内容の実施の有無は、利用者が予め携帯電話機に設定している実施レベルと、メッセージ内の指示レベルとを比較して決定する。指示レベルは、メッセージ送信者により指示内容の強制権を数値で表した値であり、実施レベルは、携帯電話機利用者の指示内容の受け入れ意思を数値で反映した値である。
【００３８】
本実施例では、指示レベル、メッセージの指示レベルの値について、図６に示すように７段階に分け、数字の高いほど指示内容に対する強制権が強いことを定義しており、図５のメッセージ１を例に説明すると、マナーモード設定の指示レベルが４で携帯電話機の実施レベルが４以下であった場合には、マナーモード設定が実施されるが、実施レベルが５以上であった場合はマナーモードの設定は行われない。
【００３９】
図４の実施期間４７、５０、５３は、指示内容４５、４８、５１が実際に実施された場合の実施期間を示している。実施期間の表現には２通りあり、メッセージを受信してからの相対時間と絶対時間である。相対時間は、同じ指示内容を複数回受信した場合に、最後に受信した時間から計測を開始し、実施期間が満了した時点で指示内容が無効となる。また、絶対時間は、記載された時刻が過ぎると指示内容が無効となり、実施した指示内容以前の状態に戻すために使用される。
【００４０】
次に、図１の通路５に位置する携帯電話機の利用者が、入口６を通過してイベント会場７に入ったときの携帯端末装置制御システムの動作について、図７のシーケンス図を用いて説明する。
【００４１】
図１のメッセージ１、２、３、４で送信されるメッセージの内容は、図５のメッセージ例と同じであり、携帯電話機のメモリ（図３の３２）には、マナーモードの実施レベルに予め４が設定されているとする。これは、指示レベル４以上の指示内容を携帯電話機が受信した際、その指示に従うことを示している。
【００４２】
携帯電話機Ｓ１が通路５から入口６にさしかかると、携帯電話機Ｓ１は、第１のメッセージ送信装置Ｓ２の無線回路（図２の２３）から送信される第１のメッセージＳ４を受信する。第１のメッセージは、携帯電話機の無線回路（図３の３７）を通してＣＰＵ（図３の３１）に通知される。携帯電話機Ｓ１のＣＰＵ（図３の３１）はメッセージ内の条件を確認し、次にＩＤ＝２のメッセージを受信することを認識するとともに、第１のメッセージの指示内容１、２、３を携帯電話機のメモリ（図３の３２）を保存し、条件成立までの制限時間である１分の計測を開始する（Ｓ５）。ここで、指示内容が判別できなかったり、指示レベルが実施レベルを上回っていたり、条件の不一致が明確である指示内容は廃棄する。
【００４３】
携帯電話機Ｓ１は、第１のメッセージＳ４を受信後、何度も第１のメッセージ（Ｓ６、Ｓ７、Ｓ８）を受信するが、これらのメッセージの内容は同じであるため、条件成立までの制限時間である１分の計測のみを最初から開始する（Ｓ９）。
【００４４】
携帯電話機Ｓ１が第１のメッセージの条件成立までの制限時間である１分以内に、第２のメッセージ送信装置Ｓ３からの第２のメッセージを受信した場合（Ｓ１０）には、第１のメッセージＳ４の条件が成立し、指示内容１、２、３の指示レベルと、携帯電話機のメモリ（図３の３２）に予め設定された実施レベルとを比較する。
【００４５】
ここで、実施レベルは４が設定されているため、指示レベルが４以上である指示内容１のマナーモード設定と、指示内容２のカメラ撮影禁止が実施され、指示レベルが３である指示内容３の録音禁止は実施されない（Ｓ１１）。指示内容実施の際、実施の解除時に備え、指示内容に関連する機能の現状の設定を携帯電話機Ｓ１のメモリ（図３の３２）に保存する。第１のメッセージＳ４の指示内容１、２を実施する場合には、現状の着信音の設定と、カメラ機能の設定を携帯電話機のメモり（図３の３２）に記憶し、マナーモードとカメラ撮影禁止への変更と実施期間の設定を行う。
【００４６】
携帯電話機Ｓ１は、第２のメッセージ（Ｓ１２、Ｓ１３、Ｓ１４）を何度も受信するが、指示内容が何も記載されていないため、第２のメッセージは直ちに廃棄される。また、第１のメッセージＳ４を受信後、有効時間の１分が過ぎても第２のメッセージＳ１０を受信しなかった場合には、携帯電話機Ｓ１のメモリ（図３の３２）に保存していた指示内容は廃棄される。廃棄後に第２のメッセージＳ１０を受信しても指示内容が設定されてないため、第２のメッセージは廃棄される。
【００４７】
次に、図１のイベント会場７に位置する携帯電話機の利用者が、出口８を通過して通路５に戻るときの携帯端末装置制御システムの動作について説明する。
【００４８】
イベント会場７内に位置する携帯電話機の使用者は、入場した時に、第１のメッセージの指示内容１のマナーモード設定と、指示内容２のカメラ撮影禁止が実施され、実施前の着信音とカメラ機能の設定が携帯電話機のメモリ（図２の３２）に保存されている。尚、出口８を通過する時点では、どちらの指示内容も実施期間内にあるものとする。さらに、利用者に設定される実施レベルは、前回と同様に４が設定されているとする。
【００４９】
携帯電話機がイベント会場７より出口８にさしかかると、携帯電話機は、メッセージ送信装置の無線回路（図２の２３）からメッセージ３を受信する。メッセージ３は、携帯電話機の無線回路（図３の３７）を通してＣＰＵ（図３の３１）に通知される。携帯電話機のＣＰＵ（図３の３１）は、メッセージ内の条件を確認し、次に、ＩＤ＝４のメッセージを受信することを認識するとともに、メッセージ３の指示内容１、２、３を携帯電話機のメモリ（図３の３２）を保存し、条件成立までの制限時間である１分の計測を開始する。
【００５０】
携帯電話機がメッセージ３の条件成立までの制限時間である１分以内に、メッセージ４を受信した場合には、メッセージ３の条件が成立し、指示内容１、２、３の指示レベルと携帯電話機に予め設定してある実施レベルを比較する。実施レベルは、４が設定されているため、指示レベルが４以上である指示内容１のマナーモード解除と、指示内容２のカメラ撮影禁止解除が実施され、指示レベルが３である指示内容３の録音禁止解除は実施されない。メッセージ３の指示内容１、２を実施する場合には、実施時に携帯電話機のメモリ（図３の３２）に保存した着信音の設定とカメラ機能の設定を読み出し、実施前の状態に戻す。
【００５１】
携帯電話機がメッセージ３の条件成立までの制限時間である１分を過ぎても、メッセージ４を受信しなかった場合には、携帯電話機のメモリ（図３の３２）に保存しているメッセージ３の指示内容１、２、３は廃棄する。
【００５２】
また、イベント会場７内で既に指示内容の実施期間を過ぎ、マナーモードやカメラ撮影禁止が自動的に解除された後にメッセージ３とメッセージ４を受信する場合は、メッセージ３を受信した時点で、指示内容が自端末の状態と異なっていることを認識しメッセージ３を廃棄する。
【００５３】
次に、本発明にかかる携帯端末装置制御システムの第２の実施の形態について、図８を参照しながら説明する。
【００５４】
図８のシステム構成では、イベント会場６４と通路６２が１つの出入口６３を介して接続され、出入口６３には、メッセージ送信装置６０、６１の２台が設置されている。尚、出入口が１つしかないため、第１の実施の形態のように、入口及び出口に各々２台の、計４台のメッセージ送信装置による制御方法を用いることはできない。そこで、図９のメッセージ例のような条件を設定することで、マナーモードの設定・解除を実施する。
【００５５】
図９のメッセージ例は、上記第２の実施の形態で使用するメッセージの内容を示す。メッセージ６０の指示内容は、“マナーモード設定”であり、指示内容の条件が“１分以内にＩＤ＝６１を受信”となっている。メッセージ６１の指示内容は、“マナーモード解除”であり、指示内容の条件が“１分以内にＩＤ＝６０を受信”である。これは、メッセージ６０を受信後にメッセージ６１を受信すればマナーモードを設定し、メッセージ６１を受信後にメッセージ６０を受信すれば、マナーモードを解除することを示している。
【００５６】
次に、図８の通路６２に存在する携帯電話機の利用者が出入口６３を通過してイベント会場６４に入る際の動作について説明する。ここで、携帯電話機は、利用者によって予めマナーモードの実施レベルに４が設定されているものとする。
【００５７】
携帯電話機が通路６２から出入口６３にさしかかると、携帯電話機はメッセージ６０を受信する。メッセージ６０を受信した携帯電話機は、メッセージ内の条件を確認し、次にＩＤ＝６１のメッセージを受信することを認識するとともに、メッセージ６０の指示内容部を携帯電話機のメモリ（図３の３２）に保存し、条件成立までの制限時間である１分の計測を開始する。
【００５８】
携帯電話機がメッセージ６０の条件成立までの制限時間である１分以内に、メッセージ６１を受信した場合には、メッセージ６０の条件が成立し、指示内容であるマナーモードの設定を行う。このとき、メッセージ６１には、指示内容に“マナーモード解除”と指示内容の条件に“１分以内にＩＤ＝６０を受信”が設定されているため、指示内容を保存し、条件成立までの制限時間である１分の計測を開始する。
【００５９】
携帯電話機が、そのままイベント会場６４に留まれば、条件成立までの制限時間である１分以内にメッセージ６０を受信することはなく、携帯電話機のメモリ（図３の３２）に保存されているメッセージ６１の指示内容部は破棄されるが、携帯電話機が通路６２に引き返すと、メッセージ６０を受信するため、メッセージ６１の条件が成立しマナーモードが解除される。
【００６０】
次に、図７のイベント会場６４に位置する携帯電話機の使用者が、出入口６３を通過して通路６２へ退場したときの携帯電話機の動作について説明する。尚、イベント会場６４に位置する携帯電話機の使用者には、入場する際にマナーモード設定が実施され、実施期間の時間内にあるとする。
【００６１】
携帯電話機がイベント会場６４から出入口６３にさしかかると、携帯電話機はメッセージ６１を受信する。メッセージ６１を受信した携帯電話機は、メッセージ内の条件を確認し、次にＩＤ＝６０のメッセージを受信することを認識するとともに、メッセージ６０の指示内容部を携帯電話機のメモリ（図３の３２）に保存し、条件成立までの制限時間である１分の計測を開始する。
【００６２】
携帯電話機がメッセージ６１の条件成立までの制限時間である１分以内に、メッセージ６０を受信した場合には、メッセージ６１の条件が成立し、指示内容である“マナーモード解除”を行う。このとき、メッセージ６０には、指示内容に“マナーモード設定”と指示内容の条件に“１分以内にＩＤ＝６１を受信”が設定されているため、指示内容を携帯電話機のメモリ（図３の３２）に保存し、条件成立までの制限時間である１分の計測を開始する。
【００６３】
携帯電話機が、そのまま立ち去れば、条件成立までの制限時間である１分以内にメッセージ６１を受信することはないが、携帯電話機がイベント会場６４に引き返すと、再びメッセージ６１を受信するため、メッセージ６０の条件が成立し再びマナーモードが設定される。
【００６４】
次に、本発明にかかる携帯端末装置制御システムの第３の実施の形態について、図１０を参照しながら説明する。
【００６５】
図１０では、会議室７０にメッセージ送信装置７３が１台設置され、会議参加者に対して会議の開始から終了までマナーモードに設定する例を示している。会議室内でのマナーモード設定・解除は、第１、第２の実施の形態のように、出入口７２にメッセージ送信装置を複数台設置するには、収容スペースや、電磁波の干渉等の問題が発生するため適切ではない。メッセージ送信装置１台で行うマナーモード設定・解除について図１１のメッセージ例を用いて実施する。
【００６６】
図１０の会議室７０に設置されるメッセージ送信装置７３から送信されるメッセージは、会議室内に十分行き届き、かつ、会議室の外には漏れない程度に無線送信強度が調整されているものとする。また、メッセージ送信装置７３には、リモートコントロール装置（外部入力手段）７４を備え、指示内容、指示レベル、実施期間を入力するユーザインタフェースを備え、会議の進行役がメッセージ送信装置を直接メッセージ送信装置７３を制御することができる。本実施の形態では、会議が１３：００〜１４：００まで実施され、会議参加者の携帯電話機は、利用者によって予めマナーモードの実施レベルに４が設定されているものとする。図１１に、本会議で使用されるメッセージ８０、８１、８２、８３を示す。
【００６７】
会議の進行役は、会議の開始時刻１３：００を過ぎたため、マナーモードの設定するために手元にあるメッセージ送信装置７３のリモートコントロール装置７４から、指示内容１＝“マナーモード設定”、指示レベル＝“４”、実施期間＝“１時間”の設定を入力し、メッセージ送信装置７３に送信する。リモートコントロール装置７４からの指示を受信したメッセージ送信装置７３のＣＰＵ（図２の２１）は、無線回路（図２の２３）から、メッセージ８０を１回送信し、約１０秒後にメッセージ８１を送信する。
【００６８】
携帯電話機のＣＰＵ（図３の３１）は無線回路（図３の３７）から、メッセージ８０を受信すると、メッセージ内の条件を確認し次にＩＤ＝８１のメッセージを受信することを認識するとともに、メッセージ８０の指示内容部を携帯電話機のメモリ（図３の３２）に保存し、条件成立までの制限時間である２０秒の計測を開始する。１０秒後にメッセージ８１を受信すると、メッセージ８０の条件が成立し、予め携帯電話機に設定される実施レベルと、指示内容１の指示レベルの比較を行い、指示レベルが４以上であるためマナーモードの設定を行う。ここで、メッセージ８０とメッセージ８１の送信間隔は、偶然に会議室の前を通りがかった携帯電話機が、メッセージ８０を受信後、メッセージ８１を受信しない場所まで移動するのに十分な時間であるとする。
【００６９】
次に会議が終了したときの動作について説明する。会議の進行役は、会議が予定より早く終了した場合、会議参加者が解散する前に携帯電話機のマナーモードを解除するために手元にあるメッセージ送信装置のリモートコントロール装置７４から、指示内容１＝“マナーモード解除”と、指示レベル＝“４”とを入力し、メッセージ送信装置７３に送信する。
【００７０】
リモートコントロール装置７４からマナーモード解除の指示を受信したメッセージ送信装置７３のＣＰＵ（図２の２１）は、無線回路（図２の２３）から、メッセージ８２を１回送信し、約２秒後に、メッセージ８３を送信する。携帯電話機のＣＰＵ（図３の３１）は、無線回路（図３の３７）から、メッセージ８２を受信すると、メッセージ内の条件を確認し、次にＩＤ＝８３のメッセージを受信することを認識するとともに、メッセージ８０の指示内容部を携帯電話機のメモリ（図３の３２）に保存し、条件成立までの制限時間である２０秒の計測を開始する。２秒後にメッセージ８３を受信すると、メッセージ８２の条件が成立し、予め携帯電話機に設定される実施レベルと、指示内容１の指示レベルの比較を行い、指示レベルが４以上であるためマナーモード解除を行う。
【００７１】
また、会議終了前に退出した会議参加者の携帯電話機は、メッセージ８２を受信しないが、メッセージ８０の指示内容１の実施期間である１時間を過ぎると自動的にマナーモード解除が実施され、実施前の状態に戻る。
【００７２】
メッセージ８３とメッセージ８２の送信間隔は、マナーモードの解除であるため、偶然に会議室の前を通りがかった携帯電話機について考慮する必要がなく、比較的短時間に複数のメッセージを送信しても良い。
【産業上の利用可能性】
【００７３】
本発明は、映画館、劇場、野球場、競技場、駅等の人の入退場箇所が特定される施設や、会議室、車内等の人の行動範囲が限定される場所でのマナーモードの設定に最適である。また、携帯電話機の着信音を自動的にマナーモードに変更するだけでなく、携帯電話機に搭載されたカメラや録音機能を制御することも可能であるため、コンサート会場での写真撮影又は録音行為を予防することが可能となる。
【図面の簡単な説明】
【００７４】
【図１】本発明にかかる携帯端末装置制御システムの第１の実施の形態を示すシステム構成図である。
【図２】図１の携帯端末装置制御システムで用いるメッセージ送信装置の構成図である。
【図３】図１の携帯端末装置制御システムで用いる携帯電話機の構成図である。
【図４】図１の携帯端末装置制御システムで用いるメッセージフォーマットを示す図である。
【図５】図１の携帯端末装置制御システムで用いるメッセージ例を示す図である。
【図６】図１の携帯端末装置制御システムで用いる指示レベル基準値である。
【図７】図１の携帯端末装置制御システムの動作例を示すシーケンス図である。
【図８】本発明にかかる携帯端末装置制御システムの第２の実施の形態を示すシステム構成図である。
【図９】図７の携帯端末装置制御システムで用いるメッセージ例を示す図である。
【図１０】本発明にかかる携帯端末装置制御システムの第３の実施の形態を示すシステム構成図である。
【図１１】図１０の携帯端末装置制御システムで用いるメッセージ例を示す図である。
【図１２】従来の携帯端末装置制御システムの動作例の説明図である。
【符号の説明】
【００７５】
１〜４  メッセージ送信装置
５  通路
６  入口
７  イベント会場
８  出口
２０  メッセージ送信装置
２１  ＣＰＵ
２２  メモリ
２３  無線回路
２３ａ  アンテナ
２４  リモートコントロール装置
３０  携帯電話機
３１  ＣＰＵ
３２  メモリ
３３  時計回路
３４  振動器
３５  キー入力装置
３６  音声制御回路
３６ａ  マイク
３６ｂ  スピーカ
３７  無線回路
３７ａ  アンテナ
３８  カメラ制御回路
３８ａ  レンズ
３９  ディスプレイ
４０  ＩＤ
４１  送信者
４２  （メッセージの）送信日時
４３  条件
４４  指示内容部
４５  指示内容
４６  指示レベル
４７  実施期間
４８  指示内容
４９  指示レベル
５０  実施期間
５１  指示内容
５２  指示レベル
５３  実施期間
６０  メッセージ送信装置
６１  メッセージ送信装置
６２  通路
６３  出入口
６４  イベント会場
７０  会議室
７１  通路
７２  出入口
７３  メッセージ送信装置
７４  リモートコントロール装置
【図１】
0004536030.tif 000002
【図２】
0004536030.tif 000003
【図３】
0004536030.tif 000004
【図４】
0004536030.tif 000005
【図５】
0004536030.tif 000006
【図６】
0004536030.tif 000007
【図７】
0004536030.tif 000008
【図８】
0004536030.tif 000009
【図９】
0004536030.tif 000010
【図１０】
0004536030.tif 000011
【図１１】
0004536030.tif 000012
【図１２】
0004536030.tif 000013